(57)【特許請求の範囲】
【請求項１】
分電盤に組み込まれた主幹漏電遮断器が遮断動作した際に原因を調べるために主回路に漏電を検出するための零相変流器を貫通させるとともに欠相を検出するためのリード線を接続し、主回路の漏電又は欠相を漏電・欠相検出回路により検出して表示装置により表示を行う漏電・欠相判別測定器において、主回路の漏電又は欠相を検出する漏電・欠相検出回路が異常検出時に出力する信号により主回路とバッテリーとを絶縁させるためのフォトカプラをオンさせてバッテリーの電源を表示装置に供給することを特徴とする漏電・欠相判別測定器。
【発明の詳細な説明】
【０００１】
【産業上の利用分野】
本発明は、分電盤に組み込まれた主幹漏電遮断器が遮断動作した際に原因を調べるための漏電・欠相判別測定器に関する。
【０００２】
【従来の技術】
図４及び図５に示すように単相三線式分電盤２１に組み込まれた主幹漏電遮断器２２が遮断動作した際に原因を調べるための漏電・欠相判別測定器２３は、ケース２４に組み込まれた分割型の零相変流器２５により主回路２６，２６，２６の漏電を検出し、ケース２４から延びた三本のリード線２７，２７，２７により主回路２６，２６，２６の欠相を検出するとともに主回路２６，２６から電源を確保している。
【０００３】
漏電・欠相判別測定器２３にバッテリーを具備しないものは、漏電遮断器２２が主回路を遮断すると漏電遮断器２２の二次側には電流が流れなくなるため、漏電遮断器２２の一次側にリード線２７，２７を接続し、漏電遮断器２２が主回路を遮断した後でも漏電・欠相判別測定器２３の表示装置２８が表示するように電源を確保している。しかし、漏電遮断器２２の一次側にリード線２７，２７を接続するには、電圧が印加されたままで配線しなければならないため危険であった。
【０００４】
そこで漏電・欠相判別測定器２３にバッテリー３１を具備させると、漏電遮断器２２が主回路を遮断してもバッテリー３１から表示装置２８に電源を供給することができるため、漏電遮断器の二次側にリード線２７，２７を接続することができて安全に配線を行うことができる。漏電・欠相判別測定器２３は漏電遮断器２２が遮断動作する前に漏電・欠相の検出から表示までの一連の動作を完了する構造になっており、図６に示すように漏電又は欠相を検出するとリード線２７，２７から確保した電源により漏電・欠相検出回路２９から信号を出力してサイリスタＳＣＲ３をオンし、それにより自己保持型のリレーＲ１Ｓがオンして接点３０がオンすることによりバッテリー３１から発光ダイオード等の表示装置２８に電流が流れて点灯する。また、リセットスイッチ３２を押すとリレーＲ１Ｒがオンして接点がオフすることによりバッテリー３１から表示装置２８に供給していた電流がストップして表示装置２８は消灯する。
【０００５】
【発明が解決しようとする課題】
漏電・欠相判別測定器により漏電遮断器の遮断原因が漏電だと分かれば、漏電遮断器から負荷までのどこで漏電しているかを調べる必要がある。しかし、従来のバッテリーを具備しない漏電・欠相判別測定器は漏電遮断器の一次側で電源を確保しているため、負荷まで届くような非常に長いリード線を備えなければならず、漏電・欠相判別測定器の持ち運びが不便になるという欠点があった。
【０００６】
また、漏電・欠相判別測定器は欠相を検出するために主回路の両電圧極にリード線を接続する必要があり、それに伴って、両電圧極から電源を確保することになるため、バッテリーを具備する漏電・欠相判別測定器は回路に電源電圧２００Ｖで使用するリレーが組み込まれている。負荷の近くに２００Ｖのコンセントがあれば、漏電・欠相判別測定器のリード線の途中やケースに設けたコネクタでプラグを備えたリード線に差し替えてコンセントから電源を確保することができるが、負荷の近くに２００Ｖのコンセントがない場合は電源を確保することができなかった。
【０００７】
問題を解消するために非常に長いリード線を備えると持ち運びが不便になり、１００Ｖのコンセントで電源を確保できるように電源電圧２００Ｖで使用するリレーに加えて電源電圧１００Ｖで使用するリレーを回路に組み込むと漏電・欠相判別測定器が大型化し、電源電圧２００Ｖで使用するリレーを組み込んだ漏電・欠相判別測定器と電源電圧１００Ｖで使用するリレーを組み込んだ漏電・欠相判別測定器の両方を用意すると持ち運びが不便であるという欠点があった。
【０００８】
【課題を解決するための手段】
上記従来の漏電・欠相判別測定器の問題点に鑑み、本発明の目的は、１００Ｖ又は２００Ｖの両方で電源を取ることができて手軽に持ち運びできる漏電・欠相判別測定器を提供するもので、その構造は、分電盤に組み込まれた主幹漏電遮断器が遮断動作した際に原因を調べるために主回路に漏電を検出するための零相変流器を貫通させるとともに欠相を検出するためのリード線を接続し、主回路の漏電又は欠相を漏電・欠相検出回路により検出して表示装置により表示を行う漏電・欠相判別測定器において、主回路の漏電又は欠相を検出する漏電・欠相検出回路が異常検出時に出力する信号により主回路とバッテリーとを絶縁させるためのフォトカプラをオンさせてバッテリーの電源を表示装置に供給することである。
【０００９】
【発明の実施の形態】
漏電遮断器が漏電又は欠相により遮断すると漏電・欠相検出回路は、まず、サイリスタをオンし、続いてフォトカプラのダイオードに電流が流れてフォトカプラのトランジスタがオンし、続いてトランジスタがオンし、続いてサイリスタがオンしてバッテリーから発光ダイオード等の表示装置に電流が流れて点灯する。また、リセットスイッチを押すことによりサイリスタがオフしてバッテリーから表示装置に流れていた電流はストップして表示装置は消灯する。
【００１０】
【実施例】
本発明に係る漏電・欠相判別測定器の一実施例を図１〜図３の添付図面に基づいて説明する。
【００１１】
単相三線式分電盤１に組み込まれた主幹漏電遮断器２が遮断動作した際に原因を調べるための漏電・欠相判別測定器３は、主回路の漏電を検出して信号を出力する分割型の零相変流器４と、零相変流器４の出力信号により漏電を検出し、主回路の両電圧極と中性極に接続されたリード線５ａ，５ｂ，５ｃの電圧を監視して欠相を検出する漏電・欠相検出回路６と、漏電・欠相検出回路６からの出力信号により表示を行う表示装置７とをケース８に収納している。
【００１２】
ケース８の一方に設けられた分割型の零相変流器４は、レバー９を握ると円状の零相変流器４が左右に開いて分割するため、開口部から漏電遮断器２の一次側に接続される両電圧線１０ａ，１０ｂ及び中性線１０ｃを挿入する。ケース８の他方に設けられた三本のリード線５ａ，５ｂ，５ｃは、二本のリード線５ａ，５ｂを漏電遮断器２の両電圧極の二次側端子１１ａ，１１ｂに接続し、一本のリード線５ｃを中性極の銅バー１２に接続にする。尚、漏電遮断器２の両電圧極の二次側端子１１ａ，１１ｂに接続したリード線５ａ，５ｂから漏電・欠相判別測定器３の電源を確保している。また、漏電遮断器２の遮断動作後に電源を確保するためにケース８に電池等のバッテリー１３を設ける。
【００１３】
漏電遮断器２が漏電又は欠相により遮断すると漏電・欠相検出回路６はサイリスタＳＣＲ１のゲートに信号を出力してサイリスタＳＣＲ１をオンさせる。そうするとリード線５ａ，５ｂから得た交流電流を整流した電流がフォトカプラＰＣ１のダイオードに流れてフォトカプラＰＣ１のトランジスタがオンし、続いてトランジスタＴＲ１がオンし、続いてサイリスタＳＣＲ２がオンしてバッテリー１３から発光ダイオード等の表示装置７に電流が流れて点灯する。
【００１４】
また、リセットスイッチ１４を押すことによりサイリスタＳＣＲ２がオフしてバッテリー１３から表示装置７に流れていた電流がストップして表示装置は消灯する。この時、漏電や欠相が修復されていない場合は、漏電遮断器２をオフにするか、或いはリード線５ａ，５ｂを取り外さないと漏電・欠相判別測定器３が動作するため、表示装置７は消灯しない。
【００１５】
漏電・欠相判別測定器３で調べた結果から漏電遮断器２の遮断原因が漏電だと分かれば、漏電遮断器２から負荷までの間のどこで漏電しているかを調べる。
【００１６】
漏電・欠相判別測定器３のリード線５ａ，５ｂ，５ｃはケース８にコネクタ（図示せず）が設けられて着脱可能になっている。そこでリード線５ａ，５ｂをコンセント（図示せず）に差し込み可能なプラグが設けられたリード線（図示せず）に差し替える。そして、負荷の近くに設置された１００Ｖ用のコンセントにプラグを差し込み、コンセントから電源を確保して漏電・欠相判別測定器３により漏電の位置を調べる。
【００１７】
また、本実施例において、表示装置として発光ダイオードを使用したが、これに限定するものではない。
【００１８】
【発明の効果】
以上のように本発明に係る漏電・欠相判別測定器は、分電盤に組み込まれた主幹漏電遮断器が遮断動作した際に原因を調べるために主回路に漏電を検出するための零相変流器を貫通させるとともに欠相を検出するためのリード線を接続し、主回路の漏電又は欠相を漏電・欠相検出回路により検出して表示装置により表示を行う漏電・欠相判別測定器において、主回路の漏電又は欠相を検出する漏電・欠相検出回路が異常検出時に出力する信号により主回路とバッテリーとを絶縁させるためのフォトカプラをオンさせてバッテリーの電源を表示装置に供給することにより、１００Ｖ又は２００Ｖの両方で電源を取ることができて手軽に持ち運びできるという優れた効果を有するものである。
【図面の簡単な説明】
【図１】  本発明に係る漏電・欠相判別測定器を示す正面図である。
【図２】  本発明に係る漏電・欠相判別測定器の使用状態を示す正面図である。
【図３】  本発明に係る漏電・欠相判別測定器の回路図である。
【図４】  従来の漏電・欠相判別測定器を示す正面図である。
【図５】  従来の漏電・欠相判別測定器の使用状態を示す正面図である。
【図６】  従来の漏電・欠相判別測定器の回路図である。
【符号の説明】
１        分電盤
２        漏電遮断器
３        漏電・欠相判別測定器
４        零相変流器
５ａ      リード線
５ｂ      リード線
５ｃ      リード線
６        漏電・欠相検出回路
７        表示装置
８        ケース
９        レバー
１０ａ    電圧線
１０ｂ    電圧線
１０ｃ    中性線
１１ａ    二次側端子
１１ｂ    二次側端子
１２      中性極の銅バー
１３      バッテリー
１４      リセットスイッチ
ＳＣＲ１  サイリスタ
ＳＣＲ２  サイリスタ
ＰＣ１    フォトカプラ
ＴＲ１    トランジスタ
【図１】
0004548753.tif 000002
【図２】
0004548753.tif 000003
【図３】
0004548753.tif 000004
【図４】
0004548753.tif 000005
【図５】
0004548753.tif 000006
【図６】
0004548753.tif 000007